(57)【要約】【課題】  足を伸ばしてリラックスした姿勢を採れることは勿論、更に一歩進んで、リクライニング形態への移行及び戻しを簡単に行うことができ、併せて、ソファ形態の変更により着座面と足載面に段差が生じることもなく、しかも、構造も簡素なリクライニング・ソファを提供すること。【解決手段】  背凭れ部１と座部２とフット・スツール３を備えるソファであって、背凭れ部１は座部２に対する傾斜角度が変更調節可能であり、座部２は前記背凭れ部１の傾斜角度の変更に応じて前後方向へスライド可能であり、フット・スツール３は前記座部２の前端に連続するごとく連接されて、その下部31が座部２のスライド進退動に応じて床面Ｆを進退スライド自在に構成した。【選択図】  図１
0003125308.tif 000002
【実用新案登録請求の範囲】
【請求項１】
背凭れ部１と座部２とフット・スツール３を備えるソファであって、背凭れ部１は座部２に対する傾斜角度が変更調節自在であり、座部２は前記背凭れ部１の傾斜角度の変更に応じて前後方向へスライド可能であり、フット・スツール３は前記座部２の前端に連続するごとく連接されて、その下部31が座部２のスライド進退動に応じて床面Ｆを進退スライド自在に構成されていることを特徴とするリクライニング・ソファ。
【請求項２】
座部２とフット・スツール３の連接においては、フット・スツール３のスツールフレームＲ3と座部２の座フレームＲ2とを回動自在に連結し、これらのフレーム全体に対してスツールクッションＣ3と座クッションＣ2とが一体になったクッション体を接着して、フット・スツール３の足載面32と座部２との境界部Ｂにおいて屈曲可能に構成されていることを特徴とする請求項１記載のリクライニング・ソファ。
【請求項３】
座部２及びフット・スツール３が独立した座クッションＣ2及びスツールクッションＣ3を具備しており、更に、スツールフレームＲ3が座フレームＲ2前端にヒンジ連結され、このヒンジ連結部33において、座部２に対する背凭れ部１の傾斜角度、および座部２のスライド位置に応じて適宜屈曲可能としたことを特徴とする請求項１記載のリクライニング・ソファ。
【請求項４】
フット・スツール２の足載面32を有するスツールクッションＣ3の下方に、支承台34が進退スライド自在に配設されて構成されていることを特徴とする請求項１〜３の何れか一つに記載のリクライニング・ソファ。
【請求項５】
背凭れ部１の背凭れフレームＲ1の中域側部に設けた回動軸11・11をベース枠４の軸受部41で枢支するとともに、座部２の座フレームＲ2両側下部に付設したスライド板21・21を、ベース枠４の側板内側に固定した案内具42・42のスリットに挿着して構成されていることを特徴とする請求項１〜４の何れか一つに記載のリクライニング・ソファ。
【請求項６】
少なくとも座部２に、ジフェニルメタンジイソシアネート（MDI）を用いて作製した高反発ウレタンフォームを使用していることを特徴とする請求項１〜５の何れか一つに記載のリクライニング・ソファ。
【請求項７】
座部２の座フレームＲ2前部と連結され、座部２の進退スライドと連動するロッド部51の進退スライドを操作部52からの信号により制御部53がロック又は解除するストッパー機構５が付設されて背凭れ部１の角度調節が可能であることを特徴とする請求項１〜６の何れか一つに記載のリクライニング・ソファ。
【考案の詳細な説明】
【技術分野】
【０００１】
本考案は、リクライニング・ソファの改良、詳しくは、リクライニング形態への移行及び通常の形態への戻しを簡単に行うことができ、更に、ソファ形態の変更によって着座面と足載面とに段差が生じることもなく、しかも、構造も非常に簡素なリクライニング・ソファに関するものである。
【背景技術】
【０００２】
周知のとおり、リクライニングソファは、背凭れを後方に傾斜させることによって身体にかかる負担を軽減して疲れを癒すことができるリラクゼーション具である。
【０００３】
そして、従来のリクライニングソファでは、足を地に付けた通常の着座姿勢だと血流の悪化が生じて疲労の原因となるため、オットマン（ottoman）と呼ばれる足載せ台をソファの前方に配置して足を伸ばした姿勢をとれるようにしたものが知られている（例えば、特許文献１参照）。
【０００４】
しかしながら、上記従来のリクライニングソファでは、リクライニング形態への移行及び戻しを行う度に足載せ台と座部とを分離する必要があり、特に背凭れの傾動に連動して座部が前後する構造のソファにおいては、形態移行の前後で座部先端の位置が変わることから、足載せ台を前後に配置し直さなければならず、その作業が非常に煩わしかった。
【０００５】
加えて、ソファ構造が、背凭れ角度の変更に応じて座部が上下方向に移動するものであった場合、ソファの座部先端と足載せ台の高さに差異が生じてしまい、一定のソファ形態でしか段差のない着座面を形成できないという欠点があった。
【０００６】
一方、従来においては、足載せ面を有するフットレストが一体的に設けられ、このフットレストが背凭れ部や座部と連係して可動するシェーズロング型のリクライニング・ソファも公知となっている（例えば、特許文献２参照）。
【０００７】
ところが、上記従来のリクライニングソファでは、フットレストと背凭れ部や座部とを連係するために、リンク機構を使用していたことから、ソファ構造が不可避的に複雑化してしまっていた。
【特許文献１】実開昭４８−６００９号公報（第２−５頁、第１−２図）
【特許文献２】実公平６−２５１５７号公報（第２−４頁、第１図）
【考案の開示】
【考案が解決しようとする課題】
【０００８】
本考案は、この上記の問題に鑑みてなされたものであって、その目的とするところは、足を伸ばしてリラックスした姿勢を採れることは勿論、更に一歩進んで、リクライニング形態への移行及び戻しを簡単に行うことができ、併せて、ソファ形態の変更によって着座面と足載面に段差が生じることもなく、しかも、構造も簡素なリクライニング・ソファを提供することにある。
【課題を解決するための手段】
【０００９】
本考案者が、上記課題を解決するために採用した手段を添付図面を参照して説明すれば次のとおりである。
【００１０】
即ち、本考案は、背凭れ部１と座部２とフット・スツール３を備えるソファであって、背凭れ部１は座部２に対する傾斜角度が変更調節可能であり、座部２は前記背凭れ部１の傾斜角度の変更に応じて前後方向へスライド可能であり、フット・スツール３は前記座部２の前端に連続するごとく連接されて、その下部31が座部２のスライド進退動に応じて床面Ｆを進退スライド自在に構成した点に特徴がある。
【００１１】
また、本考案においては、上記課題を解決するために、必要に応じて上記手段に加え、座部２とフット・スツール３の連接において、フット・スツール３のスツールフレームＲ3と座部２の座フレームＲ2とを回動自在に連結し、これらのフレーム全体に対してスツールクッションＣ3と座クッションＣ2とが一体になったクッション体を接着し、フット・スツール３の足載面32と座部２との境界部Ｂにおいて屈曲可能に構成するという技術的手段を採用することができる。
【００１２】
また、本考案においては、上記課題を解決するために、必要に応じて上記手段に加え、座部２及びフット・スツール３が独立した座クッションＣ2及びスツールクッションＣ3を具備しており、更に、スツールフレームＲ3が座フレームＲ2前端にヒンジ連結され、このヒンジ連結部33において、座部２に対する背凭れ部１の傾斜角度、および座部２のスライド位置に応じて適宜屈曲可能とするという技術的手段を採用することができる。
【００１３】
また、本考案においては、上記課題を解決するために、必要に応じて上記手段に加え、フット・スツール３の足載面32を有するスツールクッションＣ3の下方に、支承台34を進退スライド自在に配設して構成するという技術的手段を採用することができる。
【００１４】
また、本考案においては、上記課題を解決するために、必要に応じて上記手段に加え、背凭れ部１の背凭れフレームＲ1の中域側部に突設した回動軸11・11をベース枠４の軸受部41で枢支するとともに、座部２の座フレームＲ2両側下部に付設したスライド板21・21を、ベース枠４の側板内側に固定した案内具42・42のスリットに挿着して構成するという技術的手段を採用することができる。
【００１５】
また、本考案においては、上記課題を解決するために、必要に応じて上記手段に加え、少なくとも座部２の座クッションＣ2に、ジフェニルメタンジイソシアネート（MDI）を用いて作製した高反発ウレタンフォームを使用するという技術的手段を採用することができる。
【００１６】
また、本考案においては、上記課題を解決するために、必要に応じて上記手段に加え、座部２の座フレームＲ2前部と連結され、座部２の進退スライドと連動するロッド部51の進退スライドを操作部52からの信号により制御部53がロック又は解除するストッパー機構５を付設して背凭れ部１の角度調節を可能にするという技術的手段を採用することができる。
【考案の効果】
【００１７】
本考案においては、背凭れ部が座部に対して傾斜角度を変更調節自在で、更に、座部が背凭れ部の傾斜角度の変更に応じて前後方向へスライド可能な構造とし、座部の前端に連続するごとくフット・スツールを座部のスライド進退動に応じてスライド可能に連接して構成したことにより、フット・スツールの分離や再配置を行うことなく簡単に背凭れ部の角度変更を行うことができるリクライニング・ソファを作製した。
【００１８】
加えて、座部とフット・スツールとを一体的に連接しているため、リクライニング形態への移行により座部の位置変動が起きても座部前端とフット・スツールに段差が生じることはなく、快適な着座又は仰臥姿勢をとることができる。
【００１９】
また、背凭れ部及び座部とフット・スツールの連結に複雑なリンク機構が不要であるため、背凭れ部と座部、フット・スツールの傾斜角度が連係して変化するシェーズロング型ソファを簡素な構造で作製することができる。
【００２０】
したがって、本考案により、リラクゼーション効果が高いだけでなく、機能性及び快適性にも優れたリクライニング・ソファを安価に提供できることから、本考案の実用的利用価値は頗る高いと云える。
【考案を実施するための最良の形態】
【００２１】
『第１実施形態』
本考案の第１実施形態を具体的に図示した図１から図４に基いて更に詳細に説明すると次のとおりである。まず、図中において符号１で指示するものは、背凭れフレームＲ1と背凭れクッションＣ1とから成る背凭れ部であり、符号２で指示するものは、座フレームＲ2と座クッションＣ2とから成る座部である。そして、符号３で指示するものは、スツールフレームＲ3とスツールクッションＣ3とから成るフット・スツールであり、符号４で指示するものは、ベース枠である。
【００２２】
次に、本実施形態の構成を以下から説明する。まず、本実施形態では、背凭れ部１の背凭れフレームＲ1と座部２の座フレームＲ2とを回動自在に連結するとともに、これら連結した背凭れ部１及び座部２をソファ基枠４に固定して座部２に対する背凭れ部１の傾斜角度を変更調節できるように構成した（図１、図２参照）。
【００２３】
この際、ベース枠４への固定に関しては、背凭れ部１における背凭れフレームＲ1の中域側部に設けた回動軸11・11を、ベース枠４の軸受部41で枢支し、更に、座部２の座フレームＲ2両側下部に付設したスライド板21・21を、ベース枠４の側板内側に固定した案内具42・42のスリットに挿着した（図３、図４参照）。
【００２４】
これにより、着座者が体重を後方に掛けるだけで、座フレームＲ2が背凭れフレームＲ1によって押し出され座部２が前にスライドして背凭れ部１を傾倒させることができる。
【００２５】
さらに、座部２が背凭れ部１の傾動に連動していることにより、座部２は進退スライドによって前後だけでなく上下方向にも移動することとなるため、着座者が上半身を起こして座部２下方に体重を掛ければ、座部２が後下方向に移動して背凭れ部１が起立し通常のソファ形態へと戻すことができる。
【００２６】
加えて、座部２の設置角度に関しては、ベース枠４の案内具42の位置を変えて体圧が分散される適当な角度に調節することができ、座部２のスライド方向に関しても、背凭れ部１の背凭れフレームＲ1を屈曲させてベルクランク状とすることで容易に調節することが可能である。
【００２７】
また、本実施形態においては、座部２の座クッションＣ2の材料として、ジフェニルメタンジイソシアネート（MDI）を用いて作製した高反発ウレタンフォームを採用して、低圧縮時の柔軟さによる快適性、及び高圧縮時における高い硬度による耐久性及び安全性を付与した。
【００２８】
一方、背凭れ部１の背凭れクッションＣ1は、低反発ウレタンフォーム及び綿材を積層して作製し、着座者の上半身が沈み込んで体圧を分散できる柔軟な構造とした。
【００２９】
そしてまた、背凭れ部１及び座部２における背凭れフレームＲ1及び座フレームＲ2の材料には、軽量なスチールパイプを使用し、フレームの連結には簡単に着脱できるボルト材を用いた。
【００３０】
そして、座部２の前端には、下部31にキャスターが付設されたフット・スツール３を、座部２のスライド進退動に応じてフット・スツール３も床面Ｆをスライドできるように連接した。
【００３１】
なお、座部２とフット・スツール３の連接においては、フット・スツール３のスツールフレームＲ3と座部２の座フレームＲ2とを回動自在に連結し、これらのフレーム全体に対してスツールクッションＣ3と座クッションＣ2とが一体になったクッションを接着して、座部２の前上がりのスライドに対して足載面32と座部２との境界部Ｂがクッション材の伸縮により屈曲してフット・スツール３が浮かない構造とした。
【００３２】
加えて、座クッションＣ2とスツールクッションＣ3とが一体的であるため、着座時の不快感に繋がる着座面の切れ目が生じることもない。
【００３３】
上記のように構成したことにより、フット・スツール３の分離や再配置を行うことなく簡単に背凭れ部１の角度変更を行うことができる。
【００３４】
さらに、座部２とフット・スツール３とを一体的に連接しているため、リクライニング形態へと段階的に移行した際に、座部の位置変動により座部２前端とフット・スツール３に段差が生じることもなく、快適性が損なわれることもない。
【００３５】
そして、複雑なリンク機構は不要であるため、背凭れ部１と座部２、フット・スツール３の傾斜角度が連係して変化するシェーズロング型ソファを簡素な構造で作製することができる。
【００３６】
『第２実施形態』
本考案の第２実施形態を図５から図７に基いて以下に説明する。本実施形態では、座部２及びフット・スツール３が独立した座クッションＣ2及びスツールクッションＣ3を具備するとともに、スツールフレームＲ3が座フレームＲ2前端にヒンジ連結され、このヒンジ連結部33において、座部２に対する背凭れ部１の傾斜角度、および座部２のスライド位置に応じて適宜屈曲可能とした（図５、図６参照）。
【００３７】
これにより、ヒンジの着脱によって座部２とフット・スツール３とを分解・組立自在な構造とすることができ、搬送や収納、修理における利便性の向上、及びソファデザインのバリエーションの多様化を図ることが可能となる。
【００３８】
そして、ベース枠４には、座部２の座フレームＲ2前部と連結され、座部２の進退スライドと連動するロッド部51の進退スライドを操作部52からの信号により制御部53がロック又は解除するストッパー機構５を付設することで背凭れ部１の角度調節を可能にした（図７参照）。
【００３９】
なお、本実施形態では、ストッパー機構５の操作部52にレバー式のものを採用し、ベース枠４の側板内側にこれを付設する一方、レバーが下がった状態ではロッド部51のスライドをロックし、レバーを上に引くとロックが解除される制御部53をベース枠４内部に横設したバー部材に固定した。
【００４０】
また、フット・スツール３の下部31にはローラーを取付け、このローラーが床面Ｆに敷設したレール上をスライドするように構成した。
【００４１】
『第３実施形態』
本考案の第３実施形態を図８及び図９に基いて以下に説明する。本実施形態では、フット・スツール２における足載面32を有するスツールクッションＣ3の前端下部に、支承台34を進退スライド自在に配設して構成することにより、分解・組立自在な構造として搬送及び収納、修理の利便性を向上させた（図８参照）。
【００４２】
また、上記のように構成することにより、スツールフレームＲ3を省略して、スツールクッションＣ3の撓みと支承台34だけで荷重に耐える経済的な構造とすることができる。
【００４３】
なお、フット・スツール３におけるスツールクッションＣ3と支承台34の連結に関しては、クッションの前端下部及び支承台34の前端上部に面着ファスナー35を付設するだけの簡単な構造とした。（図９参照）。
【００４４】
また、本考案は、概ね上記のように構成されるが、図示の実施形態に限定されるものではなく、「実用新案登録請求の範囲」の記載内において種々の変更が可能であって、例えば、座部２、フット・スツール３のクッション材料には、荷重に対しての充分な強度を有していれば、他の発泡体や積層体を使用してもよく、強度を向上させるために背凭れ部１の背凭れクッションＣ1に高反発ウレタンフォームを使用しても勿論構わない。
【００４５】
また、背凭れ部１、座部２、そしてフット・スツール３のフレーム材料としては、一定の強度を有していればスチールでなくとも、他の金属材料や木材、合成樹脂材料から成るものでもよく、フレーム材同士の回動自在な連結もボルト材によるものだけでなく、リベット継ぎや凹凸構造による枢であってもよい。
【００４６】
そしてまた、ストッパー機構５の操作部52は、レバーでなくともスイッチであってもよく、また、ラチェット機構等の他の構造を採用してもよく、何れも本考案の技術的範囲に属する。
【産業上の利用可能性】
【００４７】
最近では、精神的及び肉体的ストレスを解消するためのリラクゼーション具としてリクライニング・ソファの人気が高い。ところが、市場におけるリクライニング・ソファは、構造が複雑で非常に高額なものばかりでコストの面で需要者に応えられるものではなかった。一方、ソファの前方に配置する足載せ台も市場では多く見受けられるが、ソファのリクライニング機能と何ら連動していないため、使用者に逆に不快な思いをさせることもあった。
【００４８】
そのような中で、本考案のリクライニング・ソファは、着座及び仰臥の快適性は勿論、リクライニング作業に伴う不快感を払拭でき、しかも、構造が簡素で経済的に製造できることから、市場の需要に充分に応えることができるため、本考案の産業上の利用価値は非常に高いと云える。
【図面の簡単な説明】
【００４９】
【図１】本考案の第１実施形態におけるリクライニング・ソファのを表わす全体斜視図である。
【図２】本考案の第１実施形態におけるリクライニング・ソファの構造を表わす分解斜視である。
【図３】本考案の第１実施形態におけるリクライニング・ソファの構造を表わす説明断面図である。
【図４】本考案の第１実施形態におけるリクライニング・ソファのリクライニング時の状態を表わす説明斜視図である。
【図５】本考案の第２実施形態におけるリクライニング・ソファを表わす説明断面図である。
【図６】本考案の第２実施形態における座部とフット・スツールの連結構造を表わす説明斜視図である。
【図７】本考案の第２実施形態におけるストッパー機構の取付け構造を表わす説明斜視図である。
【図８】本考案の第３実施形態におけるリクライニング・ソファを表わす全体斜視図である。
【図９】本考案の第３実施形態における支承台の取付け構造を表わす部分斜視図である。
【符号の説明】
【００５０】
１  背凭れ部
11  回動軸
２  座部
21  スライド板
３  フット・スツール
31  下部
32  足載面
33  ヒンジ連結部
34  支承台
35  面着ファスナー
４  ベース枠
41  軸受部
42  案内具
５  ストッパー機構
51  ロッド部
52  操作部
53  制御部
Ｆ  床面
Ｂ  境界部
Ｃ1  背凭れクッション
Ｒ1  背凭れフレーム
Ｃ2  座クッション
Ｒ2  座フレーム
Ｃ3  スツールクッション
Ｒ3  スツールフレーム
【図１】
0003125308.tif 000003
【図２】
0003125308.tif 000004
【図３】
0003125308.tif 000005
【図４】
0003125308.tif 000006
【図５】
0003125308.tif 000007
【図６】
0003125308.tif 000008
【図７】
0003125308.tif 000009
【図８】
0003125308.tif 000010
【図９】
0003125308.tif 000011